(57)【要約】本発明は、著作権を侵害することなく、他のユーザにコンテンツを提供することができるようにするコンテンツ提供システムおよび方法、共有コンテンツ提供装置および方法、コンテンツ出力装置および方法、並びにプログラムに関する。コンテンツサーバ21から複数の放送受信装置14-1乃至14-3に放送ネットワーク12を介してコンテンツが提供される。ビデオクリップサーバ16が、提供されているコンテンツのうちの、複数のユーザが共有するコンテンツである共有コンテンツを、コンテンツサーバ21から取得する。ビデオクリップサーバ16は、取得した共有コンテンツを選択するための選択情報を、インターネット11を介して複数の放送受信装置14-1乃至14-3に送信する。放送受信装置14-1乃至14-3において、選択情報に基づき選択された共有コンテンツが、ビデオクリップサーバ16から放送受信装置14-1乃至14-3に提供される。
2008105485.tif 000002
【特許請求の範囲】
【請求項１】
ネットワークを介してコンテンツを提供するコンテンツ提供手段と、
提供される前記コンテンツを出力するコンテンツ出力手段と、
出力される前記コンテンツの中から、複数のユーザが共有するコンテンツである共有コンテンツを指定するとともに、所定の前記共有コンテンツを選択する指定選択手段と、
指定された前記コンテンツを前記コンテンツ提供手段から前記共有コンテンツとして取得し、取得した前記共有コンテンツを選択するための選択情報に基づき選択された前記共有コンテンツを、前記ネットワークを介して、前記選択情報に基づき前記共有コンテンツを選択した前記コンテンツ出力手段に提供する共有コンテンツ提供手段と
を備えるコンテンツ提供システム。
【請求項２】
前記コンテンツ提供手段は、前記ネットワークとしての放送ネットワークを介して前記コンテンツを放送する放送装置により構成され、
前記コンテンツ出力手段は、放送された前記コンテンツを受信し、出力するとともに、前記選択情報を表示する放送受信装置により構成され、
前記指定選択手段は、前記放送受信装置を遠隔操作するリモートコントローラであって、所定のボタンを操作したタイミングにおいて前記放送受信装置により出力されている前記コンテンツを前記共有コンテンツとして指定するとともに、前記放送受信装置に表示されている前記選択情報に基づき前記共有コンテンツを選択するリモートコントローラにより構成され、
前記共有コンテンツ提供手段は、前記ネットワークとしてのインターネットを介して前記放送受信装置と接続されるサーバであって、前記コンテンツを前記共有コンテンツとして指定する指定情報を、前記インターネットを介して前記放送受信装置より取得し、前記指定情報に基づいて前記放送装置から前記共有コンテンツを取得し、前記選択情報を前記インターネットを介して複数の前記放送受信装置に送信する
請求項１に記載のコンテンツ提供システム。
【請求項３】
前記コンテンツ提供手段は、前記ネットワークとしてのインターネットを介して前記コンテンツを提供する提供装置により構成され、
前記コンテンツ出力手段は、前記コンテンツの提供を受け、出力する電子機器により構成され、
前記指定選択手段は、前記電子機器に対して指令を入力する入力部であって、所定のボタンを操作したタイミングにおいて前記電子機器により出力されている前記コンテンツを前記共有コンテンツとして指定するとともに、前記電子機器に表示されている前記選択情報に基づき前記共有コンテンツを選択する入力部により構成され、
前記共有コンテンツ提供手段は、前記インターネットを介して前記電子機器と接続されるサーバであって、前記コンテンツを前記共有コンテンツとして指定する指定情報を、前記インターネットを介して前記電子機器より取得し、前記指定情報に基づいて前記提供装置から前記共有コンテンツを取得する
請求項１に記載のコンテンツ提供システム。
【請求項４】
ネットワークを介してコンテンツを提供するコンテンツ提供ステップと、
提供される前記コンテンツを出力するコンテンツ出力ステップと、
出力される前記コンテンツの中から、複数のユーザが共有するコンテンツである共有コンテンツを指定する指定ステップと、
前記コンテンツ提供ステップの処理で前記コンテンツを提供する装置から、前記指定ステップの処理で指定された前記コンテンツを前記共有コンテンツとして取得する共有コンテンツ取得ステップと、
取得した前記共有コンテンツを選択するための選択情報に基づき所定の前記共有コンテンツを選択する選択ステップと、
選択された前記共有コンテンツを、前記ネットワークを介して、前記選択情報に基づき前記共有コンテンツを選択した装置に提供する共有コンテンツ提供ステップと
を備えるコンテンツ提供方法。
【請求項５】
コンテンツ提供装置からネットワークを介してコンテンツの提供を受けるコンテンツ出力装置から、前記コンテンツの中の所定のものを、複数のユーザが共有するコンテンツである共有コンテンツとして指定する指定情報を、前記ネットワークを介して取得する指定情報取得手段と、
前記指定情報により指定された前記共有コンテンツを、前記コンテンツ提供装置から取得する共有コンテンツ取得手段と、
取得した前記共有コンテンツを選択するための選択情報に基づいて選択された前記共有コンテンツを、前記選択情報に基づいて前記共有コンテンツを選択した前記コンテンツ出力装置に、前記ネットワークを介して提供する提供手段と
を備える共有コンテンツ提供装置。
【請求項６】
前記選択情報を前記コンテンツ出力装置に、前記ネットワークを介して通知する選択情報通知手段
をさらに備える請求項５に記載の共有コンテンツ提供装置。
【請求項７】
前記コンテンツ提供装置が前記コンテンツを提供する前記ネットワークは、放送ネットワークであり、
前記コンテンツ提供装置は、放送装置であり、
前記指定情報取得手段が前記指定情報を取得する前記ネットワークは、インターネットであり、
前記コンテンツ出力装置は、テレビジョン受像機である
請求項５に記載の共有コンテンツ提供装置。
【請求項８】
前記コンテンツが着目された回数をカウントするカウント手段と、
カウントされた回数を前記コンテンツ提供装置に送信する送信手段と
をさらに備える請求項５に記載の共有コンテンツ提供装置。
【請求項９】
前記カウント手段は、
前記指定情報を受信した回数をカウントする第1のカウント手段と、
前記選択情報に基づいて前記共有コンテンツが選択された回数をカウントする第2のカウント手段と
を備える請求項８に記載の共有コンテンツ提供装置。
【請求項１０】
前記コンテンツ提供装置が前記コンテンツを提供する前記ネットワーク、および前記指定情報取得手段が前記指定情報を取得する前記ネットワークは、インターネットであり、
前記コンテンツ出力装置は、パーソナルコンピュータである
請求項５に記載の共有コンテンツ提供装置。
【請求項１１】
コンテンツ提供装置からネットワークを介してコンテンツの提供を受けるコンテンツ出力装置から、前記コンテンツの中の所定のものを、複数のユーザが共有するコンテンツである共有コンテンツとして指定する指定情報を、前記ネットワークを介して取得する指定情報取得ステップと、
前記指定情報により指定された前記共有コンテンツを、前記コンテンツ提供装置から取得する共有コンテンツ取得ステップと、
取得した前記共有コンテンツを選択するための選択情報に基づいて選択された前記共有コンテンツを、前記選択情報に基づいて前記共有コンテンツを選択した前記コンテンツ出力装置に、前記ネットワークを介して提供する提供ステップと
を備える共有コンテンツ提供方法。
【請求項１２】
コンテンツ提供装置からネットワークを介してコンテンツの提供を受けるコンテンツ出力装置から、前記コンテンツの中の所定のものを、複数のユーザが共有するコンテンツである共有コンテンツとして指定する指定情報を、前記ネットワークを介して取得する指定情報取得ステップと、
前記指定情報により指定された前記共有コンテンツを、前記コンテンツ提供装置から取得する共有コンテンツ取得ステップと、
取得した前記共有コンテンツを選択するための選択情報に基づいて選択された前記共有コンテンツを、前記選択情報に基づいて前記共有コンテンツを選択した前記コンテンツ出力装置に、前記ネットワークを介して提供する提供ステップと
をコンピュータに実行させるプログラム。
【請求項１３】
コンテンツ提供装置からネットワークを介して受信したコンテンツを出力する出力手段と、
出力された前記コンテンツのうちの所定のものが、複数のユーザが共有する共有コンテンツとして指定された場合、前記コンテンツを指定する指定情報を検出する検出手段と、  検出された前記指定情報を、前記ネットワークを介して共有コンテンツ提供装置に送信する指定情報送信手段と、
前記共有コンテンツを選択するための選択情報に基づいて前記共有コンテンツの所定のものを選択する選択手段と、
前記共有コンテンツ提供装置から前記ネットワークを介して、選択された前記共有コンテンツを取得する共有コンテンツ取得手段と
を備えるコンテンツ出力装置。
【請求項１４】
前記共有コンテンツ提供装置から前記ネットワークを介して前記選択情報を取得する選択情報取得手段
をさらに備える請求項１３に記載のコンテンツ出力装置。
【請求項１５】
前記出力手段が前記コンテンツ提供装置から前記コンテンツを受信するネットワークは、放送ネットワークであり、
前記コンテンツ提供装置は、放送装置であり、
前記共有コンテンツ提供装置に前記指定情報を送信する前記ネットワークは、インターネットであり、
前記共有コンテンツ提供装置は、サーバであり、
前記コンテンツ出力装置は、テレビジョン受像機である
請求項１３に記載のコンテンツ出力装置。
【請求項１６】
前記指定情報は、前記コンテンツを放送しているチャンネルを表すチャンネル情報と日時を表す日時情報である
請求項１５に記載のコンテンツ提供装置。
【請求項１７】
前記コンテンツ提供装置が前記コンテンツを提供する前記ネットワーク、および前記指定情報送信手段が前記指定情報を送信する前記ネットワークは、インターネットであり、
前記コンテンツ出力装置は、パーソナルコンピュータである
請求項１３に記載のコンテンツ出力装置。
【請求項１８】
前記指定情報は、前記コンテンツにアクセスするURLである
請求項１７に記載のコンテンツ提供装置。
【請求項１９】
コンテンツ提供装置からネットワークを介して受信したコンテンツを出力する出力ステップと、
出力された前記コンテンツのうちの所定のものが、複数のユーザが共有する共有コンテンツとして指定された場合、前記コンテンツを指定する指定情報を検出する検出ステップと、
検出された前記指定情報を、前記ネットワークを介して共有コンテンツ提供装置に送信する指定情報送信ステップと、
前記共有コンテンツを選択するための選択情報に基づいて前記共有コンテンツの所定のものを選択する選択ステップと、
前記共有コンテンツ提供装置から前記ネットワークを介して、選択された前記共有コンテンツを取得する共有コンテンツ取得ステップと
を備えるコンテンツ出力方法。
【請求項２０】
コンテンツ提供装置からネットワークを介して受信したコンテンツを出力する出力ステップと、
出力された前記コンテンツのうちの所定のものが、複数のユーザが共有する共有コンテンツとして指定された場合、前記コンテンツを指定する指定情報を検出する検出ステップと、
検出された前記指定情報を、前記ネットワークを介して共有コンテンツ提供装置に送信する指定情報送信ステップと、
前記共有コンテンツを選択するための選択情報に基づいて前記共有コンテンツの所定のものを選択する選択ステップと、
前記共有コンテンツ提供装置から前記ネットワークを介して、選択された前記共有コンテンツを取得する共有コンテンツ取得ステップと
をコンピュータに実行させるプログラム。
【発明の詳細な説明】
【技術分野】
【０００１】
本発明は、コンテンツ提供システムおよび方法、共有コンテンツ提供装置および方法、コンテンツ出力装置および方法、並びにプログラムに関し、特に、著作権を侵害することなく、他のユーザにコンテンツを提供することができるようにしたコンテンツ提供システムおよび方法、共有コンテンツ提供装置および方法、コンテンツ出力装置および方法、並びにプログラムに関する。
【背景技術】
【０００２】
従来、画像情報や音声情報といったコンテンツは、主にテレビジョン放送やラジオ放送により各ユーザに提供されていた。しかし、最近、インターネットが普及し、コンテンツがインターネットを介して提供されるようになってきた。例えば、各ユーザが自分で作った画像や、録画した画像などのコンテンツを、他のユーザに公開しているサイトが運用されている。このようなサイトでは、各ユーザがこのサイトに自由にアップロードしたコンテンツを、他の多くのユーザが、無料で視聴することができる。【０００３】
しかしながら、上記したサイトに各ユーザがアップロードするコンテンツには、著作権者の了解を得ていないコンテンツも含まれている。そのため、著作権者の利益が害されるおそれがある。【０００４】
そこで、デジタルテレビの放送技術について標準化を推進している業界団体であるTVanytime(商標)では、放送番組やインターネットのあらゆるコンテンツに対して、固有のIDであるCRID(Content Reference Identification)を付与することを提案している（例えば、非特許文献１）。このCRIDによりコンテンツを識別することで、コンテンツの著作権を管理することができる。【０００５】
【非特許文献１】「ストレージ前提の次世代TV「TV Anytime」の全容  コンテンツをID化  放送，インターネットを検索」、「日経エレクトロニクス  2001年４月23日号  no.794」、（2001年４月23日）、岸上順一著、日経ＢＰ社発行
【発明の開示】
【発明が解決しようとする課題】
【０００６】
しかしながら、CRIDでコンテンツを管理することができるのは、それがデジタルデータである場合であり、アナログデータの場合、CRIDでコンテンツを管理することは困難である。【０００７】
本発明は、このような状況に鑑みてなされたものであり、著作権を侵害することなく、他のユーザにコンテンツを提供することができるようにするものである。
【課題を解決するための手段】
【０００８】
本発明の一側面は、ネットワークを介してコンテンツを提供するコンテンツ提供手段と、提供される前記コンテンツを出力するコンテンツ出力手段と、出力される前記コンテンツの中から、複数のユーザが共有するコンテンツである共有コンテンツを指定するとともに、所定の前記共有コンテンツを選択する指定選択手段と、指定された前記コンテンツを前記コンテンツ提供手段から前記共有コンテンツとして取得し、取得した前記共有コンテンツを選択するための選択情報に基づき選択された前記共有コンテンツを、前記ネットワークを介して、前記選択情報に基づき前記共有コンテンツを選択した前記コンテンツ出力手段に提供する共有コンテンツ提供手段とを備えるコンテンツ提供システムである。【０００９】
前記コンテンツ提供手段は、前記ネットワークとしての放送ネットワークを介して前記コンテンツを放送する放送装置により構成され、前記コンテンツ出力手段は、放送された前記コンテンツを受信し、出力する放送受信装置により構成され、前記指定選択手段は、前記放送受信装置を遠隔操作するリモートコントローラであって、所定のボタンを操作したタイミングにおいて前記放送受信装置により出力されている前記コンテンツを前記共有コンテンツとして指定するとともに、前記放送受信装置に表示されている前記選択情報に基づき前記共有コンテンツを選択するリモートコントローラにより構成され、前記共有コンテンツ提供手段は、前記ネットワークとしてのインターネットを介して前記放送受信装置と接続されるサーバであって、前記コンテンツを前記共有コンテンツとして指定する指定情報を、前記インターネットを介して前記放送受信装置より取得し、前記指定情報に基づいて前記放送装置から前記共有コンテンツを取得し、前記選択情報を前記インターネットを介して複数の前記放送受信装置に送信することができる。【００１０】
前記コンテンツ提供手段は、前記ネットワークとしてのインターネットを介して前記コンテンツを提供する提供装置により構成され、前記コンテンツ出力手段は、前記コンテンツの提供を受け、出力する電子機器により構成され、前記指定選択手段は、前記電子機器に対して指令を入力する入力部であって、所定のボタンを操作したタイミングにおいて前記電子機器により出力されている前記コンテンツを前記共有コンテンツとして指定するとともに、前記電子機器に表示されている前記選択情報に基づき前記共有コンテンツを選択する入力部により構成され、前記共有コンテンツ提供手段は、前記インターネットを介して前記電子機器と接続されるサーバであって、前記コンテンツを前記共有コンテンツとして指定する指定情報を、前記インターネットを介して前記電子機器より取得し、前記指定情報に基づいて前記提供装置から前記共有コンテンツを取得することができる。【００１１】
ネットワークを介してコンテンツを提供するコンテンツ提供ステップと、提供される前記コンテンツを出力するコンテンツ出力ステップと、出力される前記コンテンツの中から、複数のユーザが共有するコンテンツである共有コンテンツを指定する指定ステップと、前記コンテンツ提供ステップの処理で前記コンテンツを提供する装置から、前記指定ステップの処理で指定された前記コンテンツを前記共有コンテンツとして取得する共有コンテンツ取得ステップと、取得した前記共有コンテンツを選択するための選択情報に基づき所定の前記共有コンテンツを選択する選択ステップと、選択された前記共有コンテンツを、前記ネットワークを介して、前記選択情報に基づき前記共有コンテンツを選択した装置に提供する共有コンテンツ提供ステップとを備えるコンテンツ提供方法である。【００１２】
コンテンツ提供装置からネットワークを介してコンテンツの提供を受けるコンテンツ出力装置から、前記コンテンツの中の所定のものを、複数のユーザが共有するコンテンツである共有コンテンツとして指定する指定情報を、前記ネットワークを介して取得する指定情報取得手段と、前記指定情報により指定された前記共有コンテンツを、前記コンテンツ提供装置から取得する共有コンテンツ取得手段と、取得した前記共有コンテンツを選択するための選択情報に基づいて選択された前記共有コンテンツを、前記選択情報に基づいて前記共有コンテンツを選択した前記コンテンツ出力装置に、前記ネットワークを介して提供する提供手段とを備える共有コンテンツ提供装置である。【００１３】
前記選択情報を前記コンテンツ出力装置に、前記ネットワークを介して通知する選択情報通知手段をさらに備えることができる。【００１４】
前記コンテンツ提供装置が前記コンテンツを提供する前記ネットワークは、放送ネットワークであり、前記コンテンツ提供装置は、放送装置であり、前記指定情報取得手段が前記指定情報を取得する前記ネットワークは、インターネットであり、前記コンテンツ出力装置は、放送受信装置とすることができる。【００１５】
前記指定情報は、前記コンテンツを放送しているチャンネルを表すチャンネル情報と日時を表す日時情報とすることができる。【００１６】
前記コンテンツが着目された回数をカウントするカウント手段と、カウントされた回数を前記コンテンツ提供装置に送信する送信手段とをさらに備えることができる。【００１７】
前記カウント手段は、前記指定情報を受信した回数をカウントする第1のカウント手段と、前記選択情報に基づいて前記共有コンテンツが選択された回数をカウントする第2のカウント手段とを備えることができる。【００１８】
前記コンテンツ提供装置が前記コンテンツを提供する前記ネットワーク、および前記指定情報取得手段が前記指定情報を取得する前記ネットワークは、インターネットであり、前記コンテンツ出力装置は、電子機器とすることができる。【００１９】
前記指定情報は、前記コンテンツにアクセスするURLとすることができる。【００２０】
コンテンツ提供装置からネットワークを介してコンテンツの提供を受けるコンテンツ出力装置から、前記コンテンツの中の所定のものを、複数のユーザが共有するコンテンツである共有コンテンツとして指定する指定情報を、前記ネットワークを介して取得する指定情報取得ステップと、前記指定情報により指定された前記共有コンテンツを、前記コンテンツ提供装置から取得する共有コンテンツ取得ステップと、取得した前記共有コンテンツを選択するための選択情報に基づいて選択された前記共有コンテンツを、前記選択情報に基づいて前記共有コンテンツを選択した前記コンテンツ出力装置に、前記ネットワークを介して提供する提供ステップとを備える共有コンテンツ提供方法である。【００２１】
コンテンツ提供装置からネットワークを介してコンテンツの提供を受けるコンテンツ出力装置から、前記コンテンツの中の所定のものを、複数のユーザが共有するコンテンツである共有コンテンツとして指定する指定情報を、前記ネットワークを介して取得する指定情報取得ステップと、前記指定情報により指定された前記共有コンテンツを、前記コンテンツ提供装置から取得する共有コンテンツ取得ステップと、取得した前記共有コンテンツを選択するための選択情報に基づいて選択された前記共有コンテンツを、前記選択情報に基づいて前記共有コンテンツを選択した前記コンテンツ出力装置に、前記ネットワークを介して提供する提供ステップとをコンピュータに実行させるプログラムである。【００２２】
コンテンツ提供装置からネットワークを介して受信したコンテンツを出力する出力手段と、出力された前記コンテンツのうちの所定のものが、複数のユーザが共有する共有コンテンツとして指定された場合、前記コンテンツを指定する指定情報を検出する検出手段と、検出された前記指定情報を、前記ネットワークを介して共有コンテンツ提供装置に送信する指定情報送信手段と、前記共有コンテンツを選択するための選択情報に基づいて前記共有コンテンツの所定のものを選択する選択手段と、前記共有コンテンツ提供装置から前記ネットワークを介して、選択された前記共有コンテンツを取得する共有コンテンツ取得手段とを備えるコンテンツ出力装置である。【００２３】
前記共有コンテンツ提供装置から前記ネットワークを介して前記選択情報を取得する選択情報取得手段をさらに備えることができる。【００２４】
前記出力手段が前記コンテンツ提供装置から前記コンテンツを受信するネットワークは、放送ネットワークであり、前記コンテンツ提供装置は、放送装置であり、前記共有コンテンツ提供装置に前記指定情報を送信する前記ネットワークは、インターネットであり、前記共有コンテンツ提供装置は、サーバであり、前記コンテンツ出力装置は、放送受信装置とすることができる。【００２５】
前記検出手段は、前記指定情報として、前記コンテンツを放送しているチャンネルを表すチャンネル情報と日時を表す日時情報を検出することができる。【００２６】
前記検出手段は、前記指定情報として、前記共有コンテンツにアクセスするのに必要なURLを検出することができる。【００２７】
前記コンテンツ提供装置が前記コンテンツを提供する前記ネットワーク、および前記指定情報送信手段が前記指定情報を送信する前記ネットワークは、インターネットであり、前記コンテンツ出力装置は、電子機器であることができる。【００２８】
コンテンツ提供装置からネットワークを介して受信したコンテンツを出力する出力ステップと、出力された前記コンテンツのうちの所定のものが、複数のユーザが共有する共有コンテンツとして指定された場合、前記コンテンツを指定する指定情報を検出する検出ステップと、検出された前記指定情報を、前記ネットワークを介して共有コンテンツ提供装置に送信する指定情報送信ステップと、前記共有コンテンツを選択するための選択情報に基づいて前記共有コンテンツの所定のものを選択する選択ステップと、前記共有コンテンツ提供装置から前記ネットワークを介して、選択された前記共有コンテンツを取得する共有コンテンツ取得ステップとを備えるコンテンツ出力方法である。【００２９】
コンテンツ提供装置からネットワークを介して受信したコンテンツを出力する出力ステップと、出力された前記コンテンツのうちの所定のものが、複数のユーザが共有する共有コンテンツとして指定された場合、前記コンテンツを指定する指定情報を検出する検出ステップと、検出された前記指定情報を、前記ネットワークを介して共有コンテンツ提供装置に送信する指定情報送信ステップと、前記共有コンテンツを選択するための選択情報に基づいて前記共有コンテンツの所定のものを選択する選択ステップと、前記共有コンテンツ提供装置から前記ネットワークを介して、選択された前記共有コンテンツを取得する共有コンテンツ取得ステップとをコンピュータに実行させるプログラムである。【００３０】
本発明の第１の側面においては、ネットワークを介して提供され、出力されるコンテンツの中から、複数のユーザが共有するコンテンツである共有コンテンツが指定され、指定されたコンテンツが共有コンテンツとして、コンテンツを提供する装置または手段から取得される。選択された共有コンテンツが、ネットワークを介して、共有コンテンツを選択した装置に提供される。【００３１】
また、本発明の第２の側面においては、コンテンツ提供装置からネットワークを介してコンテンツの提供を受けるコンテンツ出力装置から、前記コンテンツの中の所定のものを、複数のユーザが共有するコンテンツである共有コンテンツとして指定する指定情報が、ネットワークを介して取得される。指定情報により指定された共有コンテンツが、コンテンツ提供装置から取得され、共有コンテンツを選択したコンテンツ出力装置に、ネットワークを介して提供される。【００３２】
さらに本発明の第３の側面においては、コンテンツ提供装置からネットワークを介して受信され、出力されたコンテンツの中の所定のものが、複数のユーザが共有する共有コンテンツとして指定された場合、コンテンツを指定する指定情報が検出される。検出された指定情報が、ネットワークを介して共有コンテンツ提供装置に送信される。選択情報に基づいて共有コンテンツの所定のものが選択されると、共有コンテンツ提供装置からネットワークを介して、選択された共有コンテンツが取得される。
【発明の効果】
【００３３】
以上のように、本発明の側面によれば、著作権を侵害することなく、他のユーザにコンテンツを提供することができる。
【図面の簡単な説明】
【００３４】
【図１】本発明を適用したコンテンツ提供システムの一実施の形態の構成を示すブロック図である。
【図２】コンテンツサーバの一実施の形態の機能的構成を示すブロック図である。
【図３】ビデオクリップサーバの一実施の形態の機能的構成を示すブロック図である。
【図４】放送受信装置の一実施の形態の機能的構成を示すブロック図である。
【図５】リモートコントローラの一実施の形態の機能的構成を示すブロック図である。
【図６】掲載要求処理を説明するフローチャートである。
【図７】リモートコントローラの掲載要求処理を説明するフローチャートである。
【図８】放送受信装置の掲載要求処理を説明するフローチャートである。
【図９】ビデオクリップサーバの掲載要求処理を説明するフローチャートである。
【図１０】コンテンツサーバの掲載要求処理を説明するフローチャートである。
【図１１】共有コンテンツ受信処理を説明するフローチャートである。
【図１２】リモートコントローラの共有コンテンツ受信処理を説明するフローチャートである。
【図１３】放送受信装置の共有コンテンツ受信処理を説明するフローチャートである。
【図１４】ビデオクリップサーバの共有コンテンツ受信処理を説明するフローチャートである。
【図１５】コンテンツサーバの共有コンテンツ受信処理を説明するフローチャートである。
【図１６】本発明を適用したコンテンツ提供システムの他の実施の形態の構成を示すブロック図である。
【図１７】図１６のコンテンツサーバの一実施の形態の機能的構成を示すブロック図である。
【図１８】電子機器の一実施の形態の機能的構成を示すブロック図である。
【図１９】入力部の一実施の形態の機能的構成を示すブロック図である。
【図２０】図１６のコンテンツ提供システムの掲載要求処理を説明するフローチャートである。
【図２１】入力部の掲載要求処理を説明するフローチャートである。
【図２２】電子機器の掲載要求処理を説明するフローチャートである。
【図２３】図１６のコンテンツ提供システムのビデオクリップサーバの掲載要求処理を説明するフローチャートである。
【図２４】図１６のコンテンツ提供システムのコンテンツサーバの掲載要求処理を説明するフローチャートである。
【図２５】図１６のコンテンツ提供システムの共有コンテンツ受信処理を説明するフローチャートである。
【図２６】入力部の共有コンテンツ受信処理を説明するフローチャートである。
【図２７】電子機器の共有コンテンツ受信処理を説明するフローチャートである。
【図２８】図１６のコンテンツ提供システムのビデオクリップサーバの共有コンテンツ受信処理を説明するフローチャートである。
【図２９】図１６のコンテンツ提供システムのコンテンツサーバの共有コンテンツ受信処理を説明するフローチャートである。
【符号の説明】
【００３５】
１  コンテンツ提供システム，  11  インターネット，  12  放送ネットワーク，  13  放送装置，  14-1乃至14-3  放送受信装置，  15-1乃至15-3  リモートコントローラ，  16  ビデオクリップサーバ16  コンテンツサーバ，  22  送信装置，  41  放送コンテンツ供給部，  42  共有コンテンツ供給部，  43  検索部，  44  記憶部，  45  判定部，  46  通知部，  61  指定情報取得部，  62  共有コンテンツ取得部，  63  通知部，  64  判定部，  65  提供部，  65  制御部，  67  掲載要求数カウント部，  68  配信要求数カウント部，  70  記憶部，  81  コンテンツ受信部，  82  出力部，  83  検出部，  84  指定情報送信部，  85  選択情報取得部，  86  制御部，  87  共有コンテンツ取得部，  88  信号受信部，  101  操作部，  102  検出部，  103  送信部，  111  お勧めボタン，  112  共有ボタン，  113  再生ボタン，  114  ポインタキー，  115  テンキー
【発明を実施するための最良の形態】
【００３６】
以下、図を参照して本発明の実施の形態について説明する。【００３７】
図１は、本発明を適用したコンテンツ提供システムの実施の形態の構成を示すブロック図である。このコンテンツ提供システム１においては、ネットワーク10が、インターネット11と放送ネットワーク12とにより構成されている。そして、コンテンツ提供システム１は、放送ネットワーク12を介してコンテンツを放送する放送装置13、リモートコントローラ15-1乃至15-3により遠隔制御され、放送コンテンツを受信する放送受信装置14-1乃至14-3、インターネット11を介して、放送装置13と放送受信装置14-1乃至14-3に接続されるビデオクリップサーバ16とを有している。放送受信装置14-1乃至14-3は、例えばテレビジョン受像機により構成される。リモートコントローラ15-1乃至15-3、並びに放送受信装置14-1乃至14-3は、それぞれ3台のみが示されているが、実際には、もっと多くの台数が存在する。ビデオクリップサーバ16は、例えば放送受信装置14-1乃至14-3をインターネット11に接続するサービスを提供するインターネットサービスプロバイダ、その他の、放送装置13を用いて放送事業を展開している事業者とは別の事業者により保持される。【００３８】
なお、放送受信装置14-1乃至14-3、並びにリモートコントローラ15-1乃至15-3等は、それらを個々に区別する必要がない場合、以下、単に放送受信装置14またはリモートコントローラ15と記述する。【００３９】
放送装置13は、コンテンツサーバ21と送信装置22とにより構成されている。コンテンツサーバ21は、放送されるコンテンツを記憶する。このコンテンツは、コンテンツサーバ21とインターネット11を介して接続されているビデオクリップサーバ16に共有コンテンツとしても供給される。送信装置22は、コンテンツサーバ21に記憶されているコンテンツを読み出し、放送ネットワーク12を介して各ユーザの放送受信装置14に提供する。放送受信装置14の動作は、対応するリモートコントローラ15により遠隔制御される。【００４０】
なお、この実施の形態においては、ビデオクリップサーバ16はコンテンツサーバ21とインターネット11を介して接続されているが、直接接続するようにしてもよい。また、放送ネットワーク12を介して放送されるコンテンツも、ビデオクリップサーバ16に供給されるコンテンツも、同じコンテンツサーバ21に記憶されているが、異なるサーバに記憶させるようにしてもよい。【００４１】
図２は、コンテンツサーバ21の一実施の形態の機能的構成を表している。このコンテンツサーバ21は、放送コンテンツ供給部41、共有コンテンツ供給部42、検索部43、記憶部44、判定部45、および通知部46により構成されている。【００４２】
放送コンテンツ供給部41は、記憶部44に記憶されている放送用のコンテンツを読み出し、送信装置22に供給する。共有コンテンツ供給部42は、記憶部44に記憶されているコンテンツを読み出し、共有コンテンツとしてビデオクリップサーバ16に出力する。【００４３】
検索部43は、記憶部44に記憶されているコンテンツの中から、ユーザにより共有コンテンツとしてダウンロードが要求されたコンテンツを検索する。記憶部44は、放送するコンテンツを記憶する。このコンテンツの中の所定のものが、多くのユーザにより共有される共有コンテンツとされる。判定部45は、コンテンツの配信が著作権上問題がないか等を判定する。通知部46は、コンテンツの提供の拒絶を通知する。【００４４】
図３は、ビデオクリップサーバ16の一実施の形態の機能的構成を表している。このビデオクリップサーバ16は、指定情報取得部61、共有コンテンツ取得部62、通知部63、判定部64、提供部65、制御部66、掲載要求数カウント部67と配信要求数カウント部68を有するカウント部69、および記憶部70により構成されている。【００４５】
指定情報取得部61は、放送受信装置14から送信されてくる、コンテンツを指定する指定情報を取得する。この実施の形態の場合、指定情報は、チャンネル情報と日時情報で構成される。チャンネル情報は、コンテンツが放送されたチャンネルを表す情報であり、日時情報は、コンテンツが放送された日時、具体的には、年月日と時刻（時分秒）を表す情報である。共有コンテンツ取得部62は、コンテンツサーバ21から共有コンテンツを取得する。共有コンテンツは、放送されたコンテンツであって、所定のユーザによって共有することが指定されたコンテンツである。【００４６】
通知部63は、共有コンテンツの登録や、共有コンテンツを選択するための選択情報を放送受信装置14に通知する。判定部64は、コンテンツの共有コンテンツを選択するための選択情報への掲載の要求回数を表す掲載要求数と基準値の大きさを判定したり、コンテンツが共有コンテンツとして記録済みか、コンテンツサーバ21から拒絶の通知を受けたか等を判定する。提供部65は、コンテンツサーバ21に対して共有コンテンツのダウンロードを要求し、送られてきた共有コンテンツを受信する。制御部66は、共有コンテンツのタイトルを選択情報に追加したり、掲載要求数と配信要求数をコンテンツサーバ21に送信する。配信要求数は、各ユーザにより共有コンテンツの配信が要求された回数を表す。【００４７】
カウント部69は、コンテンツがユーザにより着目された回数をカウントする。具体的には、カウント部69の掲載要求数カウント部67が、コンテンツを共有コンテンツとして選択情報に掲載することが要求される毎に、その回数を表す掲載要求数をカウントし、配信要求数カウント部68が、共有コンテンツの配信が要求される毎に、その回数を表す配信要求数をカウントする。記憶部70は、コンテンツサーバ21から受信した共有コンテンツを記憶するとともに、例えばタイトルのような、記憶されている共有コンテンツを選択する選択情報を記憶する。【００４８】
図４は、放送受信装置14の一実施の形態の機能的構成を示すブロック図である。この放送受信装置14は、コンテンツ受信部81、出力部82、検出部83、指定情報送信部84、選択情報取得部85、制御部86、共有コンテンツ取得部87、信号受信部88、判定部89、および通信部90を有している。【００４９】
コンテンツ受信部81は、送信装置22が放送ネットワーク12を介して提供するコンテンツとしてのテレビ番組を受信する。CRT(Cathode Ray Tube)、LCD(Liquid Crystal Display)、スピーカなどよりなる出力部82は、コンテンツ受信部81により受信されたテレビ番組や、共有コンテンツ取得部87により取得されたコンテンツの画像と音声を出力する。【００５０】
検出部83は、コンテンツ受信部81が受信し、出力部82が出力しているコンテンツを共有コンテンツとして指定するための指定情報を検出する。例えばテレビ番組のチャンネル情報と日時情報が指定情報として検出される。指定情報送信部84は、検出部83により検出された指定情報をビデオクリップサーバ16に送信する。選択情報取得部85は、ビデオクリップサーバ16から共有コンテンツを選択するための選択情報を取得する。制御部86は、共有コンテンツの選択を出力部82表示させる。この他、制御部86は、信号受信部88からの信号に基づいて、各部の動作を制御する。共有コンテンツ取得部87は、共有コンテンツのダウンロードをビデオクリップサーバ16に要求し、送信されてきた共有コンテンツを受信する。信号受信部88は、リモートコントローラ15が出力する赤外線信号を受信し、対応する信号を制御部86に出力する。【００５１】
判定部89は、共有コンテンツの登録の通知を受けたかなどの判定処理を行う。通信部90は、インターネット11を介して、共有コンテンツのURL(Uniform Resource Locator)を他のユーザに通知する。この共有コンテンツの位置を表す情報、またはアクセスするための情報としてのURLの通知は、例えば、電子メールで行うことができる。【００５２】
図５は、リモートコントローラ15の一実施の形態の機能的構成を示すブロック図である。このリモートコントローラ15は、操作部101、検出部102、および送信部103を有している。【００５３】
操作部101はユーザにより操作される各種のボタンやキーを有している。この実施の形態の場合、操作部101は、お勧めボタン111、共有ボタン112、再生ボタン113、ポインタキー114、およびテンキー115を有している。【００５４】
お勧めボタン111は、ユーザが視聴しているコンテンツを共有コンテンツとして他のユーザと共有しようと思うとき操作される。共有ボタン112は、複数の共有コンテンツの中から、所定の共有コンテンツを選択するための選択情報を表示させるとき操作される。再生ボタン113は、選択した共有コンテンツの再生を開始させるとき操作される。ポインタキー114は、上キー114U 、下キー114D、左キー114L、および右キー114Rで構成される。これらは、各種のアイコン、表示部等を指定するポインタを、上下左右に移動させるとき操作される。数字０乃至９のキーからなるテンキー115は、チャンネルを指定するとき操作される。【００５５】
検出部102は、操作部101のボタンやキーが操作されたことを検出し、その検出信号を送信部103に出力する。送信部103は、検出されたボタンやキーに対応する赤外線信号を発生し、放送受信装置14の信号受信部88に送信する。【００５６】
次に、図６乃至図10を参照して、掲載要求処理について説明する。なお、図7乃至図10は、リモートコントローラ15、放送受信装置14、ビデオクリップサーバ16、およびコンテンツサーバ21の個々の処理を表しており、図６は、それらの処理の相互の関係を表している。【００５７】
ステップS71において、コンテンツサーバ21の放送コンテンツ供給部41は、テレビ番組を放送する。すなわち、記憶部44に記憶されているコンテンツが読み出され、送信装置22から放送ネットワーク12を介して、多くの放送受信装置14に供給される。【００５８】
ステップS31において、放送受信装置14は、コンテンツサーバ21から放送されてきたテレビ番組であって、ユーザがリモートコントローラ15の操作部101のテンキー115を操作することで指定したチャンネルのテレビ番組を受信し、出力する。具体的には、コンテンツ受信部81は、放送ネットワーク12を介して送信装置22より送信されてきたテレビ番組を受信する。コンテンツ受信部81が受信したテレビ番組が出力部82に出力される。これにより、ユーザは受信中のコンテンツとしてのテレビ番組を視聴することができる。【００５９】
ユーザは、視聴しているテレビ番組（コンテンツ）の視聴を、他のユーザにも勧めたいと思ったとき、すなわち、視聴中のコンテンツを、複数のユーザが共有する共有コンテンツに指定したいと思ったとき、リモートコントローラ15のお勧めボタン111を操作する。
ステップS1において、検出部102は、このお勧めボタン111の操作を検出する。そしてステップS2において、送信部103は、お勧めボタン111の操作に対応する赤外線信号を出力する。【００６０】
ステップS32において、信号受信部88は、送信部103より出力された赤外線信号を受信する。この受信信号に対応する信号が制御部86に供給される。ステップS33において、制御部86は、検出部83を制御し、コンテンツを指定する指定情報を検出させる。具体的には、検出部83は、指定情報として、チャンネル情報と日時情報を検出する。すなわち、コンテンツ受信部81がそのとき受信している放送チャンネル（例えば、1チャンネル）と現在時刻（例えば、2006年10月12日18時12分55秒）が、チャンネル情報と日時情報として検出される。ステップS34において、指定情報送信部84は、検出された指定情報を、インターネット11を介してビデオクリップサーバ16に送信する。【００６１】
ステップS51において、ビデオクリップサーバ16の指定情報取得部61は、放送受信装置14から送られてきた指定情報を受信する。ステップS52において、掲載要求数カウント部67は、いま、1人のユーザから１つのコンテンツを共有コンテンツとして選択情報に掲載することを要求してきたので、そのコンテンツの掲載の要求数を把握するために、掲載要求数をカウントする。具体的には、掲載要求数が１だけインクリメントされる。【００６２】
次に、ステップS53において、判定部64は、ステップS52でインクリメントされた掲載要求数が基準値以上であるかを判定する。この基準値をある程度大きな値に設定しておくことで、ユーザから要求があったとしても、それまでの要求の合計の回数である掲載要求数が基準値より少ない場合には、そのコンテンツについては、共有コンテンツとして保存しないようにすることで、記憶部70の記憶容量をいたずらに大きくしないでも済むようにすることができる。【００６３】
あるいは、例えば、無料の会員であるユーザからの掲載要求に対しては、上述したようにして大きな基準値N1を設定するようにし、有料の会員であるユーザからの掲載要求に対しては、より小さい基準値N2（N2＜N1）を設定するようにしてもよい。さらにより高額の有料会員のユーザに対しては、基準値を０とし、選択情報への掲載が要求されたコンテンツはすべて掲載する（すなわち、後述するようにそのコンテンツを共有コンテンツとして記憶する）ようにしてもよい。この場合、より高額の有料会員のユーザは、共有コンテンツを複数のユーザと共有することができるばかりでなく、自分自身が後で視聴するために記憶させるようにして、ビデオクリップサーバ16を、ほとんど自分自身のハードディスクレコーダあるいはビデオテープレコーダとして利用することができるので、独自にそれらの装置を所持する必要がなくなる。【００６４】
ステップS53において、掲載要求数が基準値以上であると判定された場合、ステップS54において、判定部64は、掲載を要求されたコンテンツが共有コンテンツとして既に記録済みかを判定する。掲載を要求されたコンテンツが共有コンテンツとしてまだ記録されていない場合には、ステップS55において、共有コンテンツ取得部62は、コンテンツサーバ21に対して、コンテンツのダウンロードを要求する。このとき、ステップS 51で放送受信装置14から送信されてきたチャンネル情報と日時情報がコンテンツを指定する指定情報として同時に送られる。なお、ダウンロードの要求は、その都度行うこともできるが、そのテレビ番組の放送が終了した後、あるいはその数時間後に行うようにしたり、数時間毎、あるいは1日に１回など、定期的に、複数のコンテンツについてまとめて行うようにしてもよい。【００６５】
ステップS72において、コンテンツサーバ21の共有コンテンツ供給部42は、ビデオクリップサーバ16からのコンテンツのダウンロードの要求を受信すると、受信された指定情報としてのチャンネル情報と日時情報に基づいて、予め記憶している番組表からコンテンツを特定する。勿論、CRID等のIDを指定情報としてコンテンツを指定することも可能であるが、チャンネル情報と日時情報とを用いることで、デジタル画像だけでなく、アナログ画像でも容易に特定することが可能となる。ステップS73において、判定部45は、特定されたコンテンツを提供した場合、著作権上問題があるかを判定する。コンテンツの著作権者から提供の同意が得られていない等、著作権上問題がある場合、ステップS74において、通知部46は、コンテンツの提供の拒絶を通知する。【００６６】
これに対してステップS73において、著作権上問題がないと判定された場合、共有コンテンツ供給部42は、検索部43に対して、指定されたコンテンツの検索を指示する。この指示に基づいて、ステップS75において、検索部43は、記憶部44に記憶されているコンテンツの中から、指定されたコンテンツを検索する。ステップS76において、共有コンテンツ供給部42は、検索されたコンテンツをビデオクリップサーバ16に送信する。このとき、記憶部44に記憶されていたそのコンテンツのタイトルも検索され、同時に送信される。【００６７】
このように、現に放送されているテレビ番組をユーザが見て、指定したコンテンツであっても、それを蓄積している放送装置13から送信するので、その番組の途中からではなく、はじめからの全部のコンテンツがビデオクリップサーバ16に提供される。【００６８】
ステップS56において、ビデオクリップサーバ16の判定部64は、コンテンツサーバ21から拒絶の通知を受けたかを判定する。ステップS74の拒絶の通知の処理が実行されていない場合、コンテンツサーバ21からステップS76の処理でコンテンツが送信されてくる。そこで、ステップS57において、共有コンテンツ取得部62が、コンテンツサーバ21から送信されてきたコンテンツを受信する。そして、ステップS58において、記憶部70は、ステップS57で受信されたコンテンツを、共有コンテンツとして記憶する。また、コンテンツとともに、コンテンツのタイトルも送信されてくるので、ステップS59において、制御部66は、いま記憶部70に記憶されたコンテンツのタイトルを、記憶部70に記憶されている共有コンテンツを選択するための選択情報に追加する。制御部66は、この選択情報に、そのコンテンツにアクセスするのに必要なアクセス情報（例えば、URL）も付加する。【００６９】
ステップS59の処理の後、ステップS60において、通知部63は、共有コンテンツの登録を要求してきた放送受信装置14に対して、共有コンテツの登録を通知する。この通知には、そのコンテンツにアクセスするためのアクセス情報が含まれている。この実施の形態の場合、アクセス情報としてURLが使用される。なお、ステップS60の処理は、ステップS54において、コンテンツが記録済みであると判定された場合にも実行される。このため、ユーザは、他のユーザにより共有コンテンツが既に登録済みである場合にも、そのURLを知ることができる。勿論、この通知には、コンテンツのタイトルを含めることができる。【００７０】
ステップS35において、判定部89は、ビデオクリップサーバ16から共有コンテンツの登録の通知を受けたかを判定する。登録の通知を受けた場合には、ステップS36において、通信部90は、共有コンテンツのアクセス情報を他のユーザに通知する。すなわち、ユーザは、共有コンテンツを登録した場合に、そのアクセス情報を通知したい他のユーザ（例えば、友人、親戚など）を、予め登録しておく。その登録されている他のユーザにアクセス情報が、インターネット11を介して例えば電子メールで通知される。例えば、放送受信装置14-1のユーザが共有コンテンツを登録した場合、放送受信装置14-2のユーザが登録されていれば、放送受信装置14-2に、共有コンテンツにアクセスするためのURLと、必要に応じてタイトルが、電子メールで通知される。【００７１】
その結果、通知を受けたユーザは、必要に応じてそのアクセス情報としてのURL（すなわち、ビデオクリップサーバ16）にアクセスし、友人などから紹介された共有コンテンツを、登録後速やかに視聴することができる。【００７２】
ステップS53において、掲載要求数が基準値以上ではないと判定された場合、およびステップS56において、拒絶の通知を受けたと判定された場合、指定されたコンテンツは送信されてこないので、ステップS57乃至ステップS60の処理はスキップされる。【００７３】
以上のようにして、ユーザが指定したテレビ番組が共有コンテンツとしてビデオクリップサーバ16に記憶される。共有コンテンツとして供給することが著作権上問題となるコンテンツについては、ビデオクリップサーバ16への供給が拒絶される。従って、著作権の問題がないコンテンツだけを、それがアナログ信号のコンテンツであっても、共有コンテンツとしてユーザに提供することができる。【００７４】
次に図11乃至図15を参照して、共有コンテンツ受信処理について説明する。なお、図12乃至図15は、リモートコントローラ15、放送受信装置14、ビデオクリップサーバ16、およびコンテンツサーバ21の個々の処理を表しており、図11は、それらの処理の相互の関係を表している。【００７５】
ステップS151において、ビデオクリップサーバ16の通知部63は、インターネット11を介して、共有コンテンツを選択するための選択情報を、予め登録されている放送受信装置14に通知する。すなわち、放送受信装置14のユーザは、選択情報の通知を希望する場合には、自分自身をビデオクリップサーバ16に予め登録しておく。この通知は、例えば、電子メールを利用して行うことができる。この選択情報は図６と図９のステップS59において、制御部66により作成され、記憶部70に記憶されている選択情報であり、ユーザが共有コンテンツにアクセスするためのURLと、共有コンテンツを選択するためのタイトル、その他の情報を含んでいる。図３の実施の形態では、コンテンツのタイトルT1,T2,T3,・・・と、それらに対応するURL1,URL2,URL3,・・・のリストが、選択情報として登録されている。この通知は、例えば、1日に1回、週に1回など、定期的に行ったり、新たなコンテンツが記憶される毎に行うようにすることもできる。【００７６】
ステップS131において、放送受信装置14の選択情報取得部85は、共有コンテンツを選択するための選択情報を受信すると、これを記憶する。これにより各放送受信装置14は、最新の選択情報を持つことができる。【００７７】
放送受信装置14のユーザは、共有コンテンツの視聴を希望するとき、リモートコントローラ15の共有ボタン112を操作する。ステップS101において、検出部102はこの操作を検出し、共有ボタン112の操作に対応する信号を発生する。ステップS102において、送信部103は、共有ボタン112の操作に対応する赤外線信号を放送受信装置14に送信する。【００７８】
ステップS132において、放送受信装置14の信号受信部88は、この赤外線信号を受信する。この信号の受信を検知したとき、制御部86は選択情報取得部85を制御し、選択情報取得処理を実行させる。すなわち、ステップS133において、選択情報取得部85は、ステップS131 の処理で記憶した、共有コンテンツを選択するための選択情報を出力部82に表示させる。これにより、自分自身、または他のユーザが共有コンテンツとして指定したコンテンツの選択情報としてのタイトルやURLのリストが表示される。勿論、この選択情報としては、それ以外に、放送チャンネル、放送日時等の情報も合わせて表示させるようにしてもよい。すなわち、ユーザが所定の共有コンテンツを選択するのに必要な、あるいは参考になる選択情報が表示される。【００７９】
ユーザはこの選択情報を見て、選択情報の中から所定のコンテンツを選択する操作を行う。すなわち、ユーザがポインタを上下左右に移動させるべく、リモートコントローラ15のポインタキー114を操作すると、ステップS103において、検出部102がポインタキー114の操作を検出する。ステップS104において、送信部103はポインタキー114の操作に対応する赤外線信号を送信する。【００８０】
ステップS134において、放送受信装置14の信号受信部88はこの赤外線信号を受信すると、その検知信号を制御部86に出力する。ステップS135において、制御部86は共有コンテンツの選択を表示する。具体的には、出力部82に表示されている共有コンテンツのタイトルやURLに重畳して表示されているポインタの位置が、ポインタキー114の操作に対応して上下左右に移動される。【００８１】
所定の共有コンテンツが選択された状態になったとき、ユーザは、再生ボタン113を操作する。ステップS105において、検出部102が再生ボタン113の操作を検出すると、ステップS106において、送信部103が再生ボタン113の操作に対応する赤外線信号を送信する。【００８２】
ステップS136において、放送受信装置14の信号受信部88は、この赤外線信号を受信する。この検知信号を受けると、制御部86は、共有コンテンツ取得部87を制御し、共有コンテンツ取得処理を実行させる。すなわち、ステップS137において、共有コンテンツ取得部87は、インターネット11を介してビデオクリップサーバ16に対して、共有コンテンツのダウンロード、すなわち配信を要求する。共有コンテンツを選択するための選択情報には、共有コンテンツにアクセスするのに必要なURL、あるいは識別番号が対応付けられており、これらにより共有コンテンツが識別される。【００８３】
ステップS152において、ビデオクリップサーバ16の指定情報取得部61が、放送受信装置14からの要求を受信し、指定情報を取得すると、ステップS153において、配信要求数カウント部68が配信要求数をカウントする。すなわち、いま配信が要求されてきた共有コンテンツの配信回数を表す配信要求数が１だけインクリメントされる。ステップS154において、提供部65は、共有コンテンツを配信する。すなわち、配信を要求してきた放送受信装置14に対して、インターネット11を介して、指定されたコンテンツが共有コンテンツとして供給される。【００８４】
ステップS138において、放送受信装置14の共有コンテンツ取得部87は、ビデオクリップサーバ16からインターネット11を介して送信されてきた共有コンテンツを受信する。ステップS139において、出力部82は、この共有コンテンツを出力する。【００８５】
以上のようにして、ユーザは、他のユーザが共有コンテンツとして指定したコンテンツを視聴することができる。すなわち、コンテンツを複数のユーザで共有することができる。勿論、各ユーザは、自分自身が指定した共有コンテンツを視聴することもできる。【００８６】
さらにステップS155において、ビデオクリップサーバ16の制御部66は、掲載要求数と配信要求数をコンテンツサーバ21に送信する。ステップS171において、コンテンツサーバ21の共有コンテンツ供給部42は、掲載要求数と配信要求数を受信する。この掲載要求数と配信要求数は記憶部44に記憶される。この掲載要求数と配信要求数の送信は、共有コンテンツが配信される毎に行ってもよいし、日、週、または月に1回毎など、定期的に行うようにしてもよい。【００８７】
掲載要求数と配信要求数は、テレビ番組の視聴率と同様に評価することができる。そこで、放送装置13の管理者は、掲載要求数と配信要求数を参考にして、今後のテレビ番組を作成することができる。【００８８】
一般的な視聴率からは、全世帯数に対する視聴世帯の割合といった、極めて大雑把な統計的結果しか把握することができない。それに対して、この実施の形態の場合、各ユーザは自由な日時にそのコンテンツを視聴することができるので、日、週、月毎の配信要求数の分布を調べることにより、今後、同様の番組を放送し、リアルタイムで視聴してもらいたいときに、最も適した曜日、時間帯等を調査することができる。【００８９】
以上の実施の形態においては、放送されているコンテンツを共有コンテンツとしたが、インターネット11を介して提供されているコンテンツを共有コンテンツとする場合にも本発明は適用することができる。図16は、このような場合のコンテンツ提供システムの実施の形態の構成を示すブロック図である。【００９０】
このコンテンツ提供システム１においては、ネットワーク10がインターネット11により構成されている。そして、コンテンツ提供システム１は、インターネット11を介してコンテンツを提供する提供装置301、入力部332-1乃至332-3により各種の入力が行われ、提供装置301から提供されるコンテンツを取得する電子機器331-1乃至331-3、インターネット11を介して、提供装置301と電子機器331-1乃至331-3に接続されるビデオクリップサーバ16とにより構成されている。入力部332-1乃至332-3、並びに電子機器331-1乃至331-3は、それぞれ3台のみが示されているが、実際には、もっと多くの台数が存在し得る。【００９１】
なお、入力部332-1乃至332-3、並びに電子機器331-1乃至331-3等は、それらを個々に区別する必要がない場合、以下、単に入力部332または電子機器331と記述する。【００９２】
提供装置301は、コンテンツサーバ311により構成されている。コンテンツサーバ311は、インターネット11を介してそのポータルサイトにアクセスしてきた電子機器331に提供するコンテンツを記憶する。このコンテンツのうちの所定のものは、コンテンツサーバ311とインターネット11を介して接続されているビデオクリップサーバ16に共有コンテンツとしても供給される。電子機器331は、例えばパーソナルコンピュータにより構成され、電子機器331の動作は、対応する入力部332により制御される。入力部332は、キーボード、マウスなどにより構成される。【００９３】
図17は、コンテンツサーバ311の一実施の形態の機能的構成を表している。このコンテンツサーバ311は、提供コンテンツ供給部441、共有コンテンツ供給部442、検索部443、記憶部444、判定部445、および通知部446により構成されている。【００９４】
提供コンテンツ供給部441は、記憶部444に記憶されている提供用のコンテンツを読み出し、インターネット11を介してポータルサイトにアクセスしてきた電子機器331に供給する。共有コンテンツ供給部442は、記憶部444に記憶されているコンテンツのうち、共有コンテンツとして指定されたものを、インターネット11を介してビデオクリップサーバ16に出力する。【００９５】
検索部443は、記憶部444に記憶されているコンテンツの中から、ユーザによりビデオクリップサーバ16を介してダウンロードが要求されたコンテンツを検索する。記憶部444は、提供するコンテンツを記憶する。このコンテンツのうちの所定のものは、多くのユーザにより共有される共有コンテンツでもある。判定部445は、コンテンツの配信が著作権上問題がないか等を判定する。通知部446は、コンテンツの提供の拒絶を通知する。【００９６】
図16のビデオクリップサーバ16の構成は、図１のビデオクリップサーバ16と同様に、図３に示されるように構成される。そこで、以下においては、図16のビデオクリップサーバ16についても、図３を参照して説明する。【００９７】
図18は、電子機器331の一実施の形態の機能的構成を示すブロック図である。この電子機器331は、提供コンテンツ取得部481、出力部482、検出部483、指定情報送信部484、選択情報取得部485、制御部486、共有コンテンツ取得部487、検知部488、判定部489、および通信部490を有している。【００９８】
提供コンテンツ取得部481は、コンテンツサーバ311がそのポータルサイトからインターネット11を介して提供するコンテンツを取得する。CRT、LCD、スピーカなどよりなる出力部482は、提供コンテンツ取得部481により取得されたコンテンツ、あるいは共有コンテンツ取得部487により取得された共有コンテンツを出力する。【００９９】
検出部483は、提供コンテンツ取得部481により取得され、出力部482に出力されているコンテンツの指定情報を検出する。この実施の形態では、指定情報としてコンテンツのURLが検出される。指定情報送信部484は、検出部483により検出された指定情報をビデオクリップサーバ16に送信する。選択情報取得部485は、ビデオクリップサーバ16から共有コンテンツを選択するための選択情報を取得する。制御部486は、共有コンテンツの選択を出力部482表示させる。この他、制御部486は、検知部488からの信号に基づいて、各部の動作を制御する。共有コンテンツ取得部487は、共有コンテンツのダウンロードをビデオクリップサーバ16に要求し、送信されてきた共有コンテンツを受信する。【０１００】
検知部488は、入力部332からの各種の入力を検知する。判定部489は、共有コンテンツの登録の通知を受けたかなどの判定処理を行う。通信部490は、インターネット11を介しての通信を行う。【０１０１】
図19は、入力部332の一実施の形態の機能的構成を示すブロック図である。この入力部332は、ソフトキー501、キー群502、マウス503、および検出部504を有している。【０１０２】
ソフトキー501は、LCD等の表示部に表示されるキーであり、マウス503でクリックすることで操作される。この実施の形態の場合、ソフトキー501は、お勧めボタン511、共有ボタン512、および再生ボタン513を有している。これに対して、キー群502は、キーボード上に設けられた各種のキー、ボタンで構成される。ソフトキー501は、キー群502のうちの所定のキーに機能を割り当てることで、物理的なキーとして構成することもできる。【０１０３】
お勧めボタン511は、ユーザが視聴しているコンテンツを共有コンテンツとして他のユーザと共有しようと思うとき操作される。共有ボタン512は、複数の供給コンテンツの中から、所定の共有コンテンツを選択するための選択情報を表示させるとき操作される。再生ボタン513は、選択した共有コンテンツの再生を開始させるとき操作される。マウス503は、各種のアイコン、表示部等を指定するポインタを、任意の位置に移動させるとき操作される。検出部504は、各部の操作を検出する。【０１０４】
次に、図20乃至図24を参照して、掲載要求処理について説明する。なお、図21乃至図24は、入力部332、電子機器331、ビデオクリップサーバ16、およびコンテンツサーバ311の個々の処理を表しており、図20は、それらの処理の相互の関係を表している。【０１０５】
ユーザは、提供装置301が提供するコンテンツの視聴を希望するとき、入力部332のキー群502のうちの所定のキーを操作し、ビデオクリップサーバ16のポータルサイトへのアクセスを指令する。検出部504はこの操作を検出し、ステップS301において、電子機器331に対して、操作に対応するアクセスを指令する。【０１０６】
ステップS331において、電子機器331の検知部488は、入力部301からの指令を検知する。ステップS332において、提供コンテンツ取得部481は、インターネット11を介してコンテンツサーバ311のポータルサイトにアクセスする。【０１０７】
コンテンツサーバ311の提供コンテンツ供給部441は、ステップS371において、アクセスを受け付ける。ステップS372において、提供コンテンツ供給部441は、コンテンツを提供するためのポータルサイトのメニューを送信する。【０１０８】
ステップS333において、電子機器331の提供コンテンツ取得部481は、コンテンツサーバ311から受信したメニューを出力部482に表示させる。このメニューには、コンテンツのリストが表示されている。このリストには、コンテンツの代表画面、タイトル、URLなどが表示されている。ユーザはメニューを見て、視聴を希望するコンテンツを選択し、再生ボタン513を操作する。この操作に対応して、ステップS302において、検出部504は、電子機器331に対してコンテンツの再生を指令する。【０１０９】
電子機器331の提供コンテンツ取得部481は、ステップS334において、この指令を検知すると、ステップS335において、コンテンツサーバ311に対して、コンテンツの再生を指令する。このときコンテンツを指定する指定情報がコンテンツサーバ311に送信される。指定情報としては、URL、リスト上の位置データ、識別番号等が用いられる。【０１１０】
コンテンツサーバ311の提供コンテンツ供給部441は、ステップS373において、電子機器331からの指令を受け付けると、ステップS374において、指定されたコンテンツを送信する。すなわち、記憶部444に記憶されているコンテンツが読み出され、インターネット11を介して、アクセスしてきたユーザの電子機器331に供給される。【０１１１】
ステップS336において、電子機器331の提供コンテンツ取得部481は、コンテンツサーバ311から提供されたコンテンツを受信する。出力部482はこのコンテンツを出力する。これにより、ユーザは指定したコンテンツを視聴することができる。【０１１２】
ユーザは、視聴しているコンテンツの視聴を、他のユーザにも勧めたいと思ったとき、すなわち、視聴中のコンテンツを、複数のユーザが共有する共有コンテンツに指定したいと思ったとき、そのとき表示されているソフトキー501中のお勧めボタン511を操作する。
検出部504は、ステップS303においてお勧めボタンの操作を検出する。ステップS304において、検出部504は、お勧めボタンの操作に対応する信号を出力する。【０１１３】
ステップS337において、電子機器331の検知部488は、入力部332より出力された信号を検知する。この検知された信号に対応する信号が制御部486に供給される。ステップS338において、制御部486は、検出部483を制御し、指定情報を検出させる。具体的には、検出部483は、提供コンテンツ取得部481がそのとき取得し、出力部482が出力しているコンテンツのURLを検出する。ステップS339において、指定情報送信部484は、検出された指定情報を、インターネット11を介してビデオクリップサーバ16に送信する。【０１１４】
ステップS351において、ビデオクリップサーバ16の指定情報取得部61は、電子機器331から送られてきた指定情報を受信する。ステップS352において、掲載要求数カウント部67は、いま、1人のユーザから１つのコンテンツを共有コンテンツとして選択情報に掲載することを要求してきたので、そのコンテンツの要求数を把握するために、掲載要求数をカウントする。具体的には、掲載要求数が１だけインクリメントされる。【０１１５】
次に、ステップS353において、判定部64は、ステップS352でカウントした掲載要求数が基準値以上であるかを判定する。この基準値の大きさについては、上述した図６のステップＳ53における場合と同様の考慮がなされる。【０１１６】
ステップS353において、掲載要求数が基準値以上であると判定された場合、ステップS354において、判定部64は、掲載を要求されたコンテンツが共有コンテンツとして既に記録済みかを判定する。掲載を要求されたコンテンツが共有コンテンツとしてまだ記録されていない場合には、ステップS355において、共有コンテンツ取得部62は、コンテンツサーバ311に対して、コンテンツのダウンロードを要求する。このとき、コンテンツを指定する指定情報が同時に送られる。例えば、ステップS 351で電子機器331から受信されたURLが指定情報とされる。なお、ダウンロードの要求は、その都度行うこともできるが、そのコンテンツの再生が終了した後、あるいはその数時間後に行うようにしたり、数時間毎、あるいは1日に１回など、定期的に、複数のコンテンツについてまとめて行うようにしてもよい。【０１１７】
ステップS375において、コンテンツサーバ311の共有コンテンツ供給部442は、ビデオクリップサーバ16からのコンテンツのダウンロードの要求を受信すると、受信された指定情報に基づいて、予め記憶しているコンテンツを特定する。ステップS376において、判定部445は、特定されたコンテンツを提供した場合、著作権上問題があるかを判定する。著作権者の了解が得られていないなど、著作権上の問題がある場合、ステップS377において、通知部446は、コンテンツの提供の拒絶を通知する。【０１１８】
これに対してステップS376において、著作権上問題がないと判定された場合、共有コンテンツ供給部442は、検索部443に対して、指定されたコンテンツの検索を指示する。この指示に基づいて、ステップS378において、検索部443は、記憶部444に記憶されているコンテンツの中から、指定されたコンテンツを検索する。ステップS379において、共有コンテンツ供給部442は、検索されたコンテンツをビデオクリップサーバ16に送信する。このとき、記憶部444に記憶されていたコンテンツのタイトルも検索され、同時に送信される。【０１１９】
ステップS356において、ビデオクリップサーバ16の判定部64は、コンテンツサーバ311から拒絶の通知を受けたかを判定する。ステップS377の拒絶の通知の処理が実行されていない場合、コンテンツサーバ311からステップS379の処理でコンテンツが送信されてくる。そこで、ステップS357において、共有コンテンツ取得部62が、コンテンツサーバ311から送信されてきたコンテンツを受信する。そして、ステップS358において、記憶部70は、ステップS357で受信されたコンテンツを、共有コンテンツとして記憶する。また、コンテンツとともに、コンテンツのタイトルも送信されてくるので、ステップS359において、制御部66は、いま記憶部70に記憶されたコンテンツのタイトルを、記憶部70に記憶されている共有コンテンツを選択するための選択情報に追加する。【０１２０】
ステップS359の処理の後、ステップS360において、通知部63は、共有コンテンツの登録を要求してきた電子機器331に対して、共有コンテツの登録を通知する。この通知には、少なくとも共有コンテンツにアクセスするのに必要なアクセス情報（例えば、URLなど）が含まれている。なお、ステップS360の処理は、ステップS354において、コンテンツが記録済みであると判定された場合にも実行される。このため、ユーザは、他のユーザにより共有コンテンツが既に登録済みである場合にも、そのアクセス情報を知ることができる。【０１２１】
ステップS340において、電子機器331の判定部489は、ビデオクリップサーバ16から共有コンテンツの登録の通知を受けたかを判定する。登録の通知を受けた場合には、ステップS341において、通信部490は、アクセス情報を他のユーザに通知する。すなわち、例えば、友人、親戚などの、予め登録されている他のユーザにアクセス情報が、インターネット11を介して例えば電子メールで通知される。例えば、電子機器331-1のユーザが共有コンテンツを登録した場合、電子機器331-2のユーザが登録されていれば、電子機器331-2に、その共有コンテンツにアクセスするためのアクセス情報としてのURLが電子メールで通知される。【０１２２】
その結果、通知を受けたユーザは、必要に応じてそのURLにアクセスし、友人などから紹介された共有コンテンツを、登録後速やかに視聴することができる。【０１２３】
ステップS353において、掲載要求数が基準値以上ではないと判定された場合、およびステップS356において、拒絶の通知を受けたと判定された場合、指定されたコンテンツは送信されてこないので、ステップS357乃至ステップS360の処理はスキップされる。【０１２４】
以上のようにして、ユーザが指定したコンテンツが共有コンテンツとして記憶される。
共有コンテンツとして供給することが著作権上問題となるコンテンツについては、ビデオクリップサーバ16への供給が拒絶される。従って、著作権の問題がないコンテンツだけを共有コンテンツとしてユーザに提供することができる。【０１２５】
次に図25乃至図29を参照して、図20乃至図24の掲載要求処理に対応する共有コンテンツ受信処理について説明する。なお、図26乃至図29は、入力部332、電子機器331、ビデオクリップサーバ16、およびコンテンツサーバ311の個々の処理を表しており、図25は、それらの処理の相互の関係を表している。【０１２６】
電子機器331のユーザは、共有コンテンツの視聴を希望するとき、入力部332の共有ボタン512を操作する。検出部504は、ステップS401において、この操作を検出し、ステップS402において、電子機器331に対して、共有ボタン512の操作に対応する信号を出力する。【０１２７】
ステップS431において、電子機器331の検知部488は、この信号を検知する。ステップS432において、共有コンテンツ取得部487は、ビデオクリップサーバ16にアクセスする。【０１２８】
ステップS451において、ビデオクリップサーバ16の提供部65は、電子機器331からのアクセスを受け付ける。ステップS452において、通知部63は、インターネット11を介して、電子機器331に選択情報を送信する。この共有コンテンツを選択するための選択情報は、図20と図23のステップS359において、制御部66により作成され、記憶部70に記憶されたものであり、ユーザが複数の共有コンテンツのリストの中から所定の共有コンテンツを選択するための代表画面やタイトル、それにリンクされた共有コンテンツにアクセスするためのURLなどを含んでいる。【０１２９】
ステップS433において、電子機器331の選択情報取得部485は、ビデオクリップサーバ16から送信されてきた選択情報を受信する。ステップS434において、選択情報取得部485は、ステップS433で取得した選択情報を出力部482に出力させる。これにより、いずれかのユーザが共有コンテンツとして指定したコンテンツの選択情報が表示される。この選択情報としては、代表画面やタイトル以外に、URLも表示させたり、共通コンテンツとして記録された日時を表す日時情報等の情報も合わせて表示させるようにしてもよい。【０１３０】
ユーザはこの選択情報を見て、選択情報の中から所定のコンテンツを選択する操作を行う。すなわち、ユーザがポインタを任意の位置に移動させるべく、マウス503を操作すると、ステップS403において、検出部504がマウス503の操作を検出する。ステップS404において、検出部504はマウス503の操作に対応する信号を出力する。【０１３１】
ステップS435において、電子機器331の検知部488はこの信号を検知すると、その検知信号を制御部486に出力する。ステップS436において、制御部486は共有コンテンツの選択を表示する。具体的には、出力部482に表示されている共有コンテンツのタイトル、その他に重畳して表示されているポインタの位置が、マウス503の操作に対応する位置に移動される。【０１３２】
所定の共有コンテンツが選択された状態になったとき、ユーザは、再生ボタン513を操作する。ステップS405において、検出部504が再生ボタン513の操作を検出すると、ステップS406において、検出部504が再生ボタン513の操作に対応する信号を出力する。【０１３３】
ステップS437において、電子機器331の検知部488は、この信号を検知する。このとき、制御部486は、共有コンテンツ取得部487を制御し、共有コンテンツ取得処理を実行させる。すなわち、ステップS438において、共有コンテンツ取得部487は、インターネット11を介してビデオクリップサーバ16に対して、共有コンテンツのダウンロード、すなわち配信を要求する。共有コンテンツを選択するための選択情報には、共有コンテンツを指定する指定情報としてURL、あるいは識別番号が対応付けられており、これらにより共有コンテンツが識別される。【０１３４】
ステップS453において、ビデオクリップサーバ16の指定情報取得部61が、電子機器331からの要求を受信し、指定情報を取得すると、ステップS454において、配信要求数カウント部68が配信要求数をカウントする。すなわち、いま配信が要求されてきた共有コンテンツの配信回数を表す配信要求数が１だけインクリメントされる。ステップS455において、提供部65は、共有コンテンツを配信する。すなわち、配信を要求してきた電子機器331に対して、インターネット11を介して、指定された共有コンテンツが供給される。【０１３５】
ステップS439において、電子機器331の共有コンテンツ取得部487は、ビデオクリップサーバ16からインターネット11を介して送信されてきた共有コンテンツを受信する。ステップS440において、出力部482は、この共有コンテンツを出力する。【０１３６】
以上のようにして、ユーザは、他のユーザが共有コンテンツとして指定したコンテンツを視聴することができる。すなわち、コンテンツを複数のユーザが共有することができる。勿論、各ユーザは、自分自身が指定した共有コンテンツを視聴することもできる。【０１３７】
さらにステップS456において、ビデオクリップサーバ16の制御部66は、掲載要求数と配信要求数をコンテンツサーバ311に送信する。ステップS471において、コンテンツサーバ311の共有コンテンツ供給部442は、掲載要求数と配信要求数を受信する。この掲載要求数と配信要求数は記憶部444に記憶される。この掲載要求数と配信要求数の送信は、共有コンテンツが配信される毎に行ってもよいし、日、週、または月に1回毎など、定期的に行うようにしてもよい。【０１３８】
以上における放送受信装置14は、テレビジョン受像機以外に、ラジオ受信機、携帯電話機、PDA（Personal Digital Assistants）などにより構成することもできる。電子機器331も、パーソナルコンピュータ以外に、携帯電話機、PDAなどにより構成することもできる。【０１３９】
なお、本明細書において、ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。【０１４０】
また、通信とは、無線通信および有線通信は勿論、無線通信と有線通信とが混在した通信、即ち、ある区間では無線通信が行われ、他の区間では有線通信が行われるようなものであっても良い。さらに、ある装置から他の装置への通信が有線通信で行われ、他の装置からある装置への通信が無線通信で行われるようなものであっても良い。【０１４１】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。【０１４２】
なお、本明細書において、プログラムを記述するステップは、記載された順序に沿って時系列的に行われる処理はもちろん、必ずしも時系列的に処理されなくとも、並列的あるいは個別に実行される処理をも含むものである。【０１４３】
また、本明細書において、システムとは、複数の装置により構成される装置全体を表すものである。【０１４４】
本発明の実施の形態は、上述した実施の形態に限定されるものではなく、本発明の要旨を逸脱しない範囲において種々の変更が可能である。
【図１】
2008105485.tif 000003
【図２】
2008105485.tif 000004
【図３】
2008105485.tif 000005
【図４】
2008105485.tif 000006
【図５】
2008105485.tif 000007
【図６】
2008105485.tif 000008
【図７】
2008105485.tif 000009
【図８】
2008105485.tif 000010
【図９】
2008105485.tif 000011
【図１０】
2008105485.tif 000012
【図１１】
2008105485.tif 000013
【図１２】
2008105485.tif 000014
【図１３】
2008105485.tif 000015
【図１４】
2008105485.tif 000016
【図１５】
2008105485.tif 000017
【図１６】
2008105485.tif 000018
【図１７】
2008105485.tif 000019
【図１８】
2008105485.tif 000020
【図１９】
2008105485.tif 000021
【図２０】
2008105485.tif 000022
【図２１】
2008105485.tif 000023
【図２２】
2008105485.tif 000024
【図２３】
2008105485.tif 000025
【図２４】
2008105485.tif 000026
【図２５】
2008105485.tif 000027
【図２６】
2008105485.tif 000028
【図２７】
2008105485.tif 000029
【図２８】
2008105485.tif 000030
【図２９】
2008105485.tif 000031
【国際調査報告】
2008105485.tif 000032
2008105485.tif 000033
2008105485.tif 000034